(57)【要約】      （修正有）【課題】等化フィルタリングを最適化する際における計算の複雑さを単純化する方法及び装置を提供する。【解決手段】純粋な線形等化と判定帰還型等化との間においてソフトに切り換える能力を備えた等化フィルタが提供される。予め決められたマッピング関係によって計算された信頼性利得係数及び関連する利得係数が、判定フィードバック経路及びフィードフォワード経路においてそれぞれ提供される。信頼性利得係数を増加させることは、判定フィードバックフィルタリングの有意性を向上させる。純粋な線形等化及び純粋な判定帰還型等化よりも優れた性能を達成させることができる。【選択図】図４
2011223591.tif 000002
【特許請求の範囲】
【請求項１】
チャネルを通じて送信されたシンボルシーケンスを具備する信号を処理するように構成されたデバイスであって、
前記信号を受信する入力を有する第１のフィルタリング回路と、
減算器と、判定装置と、第２のフィルタと、を具備するフィードバックループと、を具備し、前記減算器は、前記第２のフィルタの出力を前記第１のフィルタの出力から減じるために接続され、前記判定装置は、前記減算器の出力に接続された入力と、前記第２のフィルタの入力に接続された出力と、を有し、前記第２のフィルタは、判定信頼性評価基準を具備するスカラー値によって重みが付けられた係数を有する、デバイス。
【請求項２】
前記スカラー値に関する値を生成する回路をさらに具備する請求項１に記載のデバイス。
【請求項３】
前記送信されたシンボルシーケンスは、少なくとも既知のシンボルシーケンスを具備し、前記スカラー値の前記値は、前記既知のシンボルシーケンスの判定結果の精度に少なくとも部分的に基づいて生成される請求項２に記載のデバイス。
【請求項４】
前記回路は、前記判定装置の前記出力において生成された以前のシンボルシーケンス及び前記復号器からの再生成されたシンボルシーケンスを比較するように構成される請求項２に記載のデバイス。
【請求項５】
チャネルを通じて送信されたシンボルシーケンスを具備する信号を処理するように構成されたデバイスであって、
前記信号を受信する入力を有する第１のフィルタと、
前記第１のフィルタの前記出力に結合された入力を有する遅延装置と、
前記遅延装置の出力に結合された入力を有する第２のフィルタと、
前記第１のフィルタの前記出力及び前記第２のフィルタの前記出力を合計するために接続された加算器と、
減算器、判定装置、及び前記第２のフィルタと実質的に同じフィルタ係数を有する第３のフィルタを具備する判定フィードバックループと、を具備し、前記減算器は、前記第３のフィルタの出力を前記加算器の出力から減じるために接続され、前記判定装置は、前記減算器の出力に接続された入力と、前記第３のフィルタの入力に接続された出力と、を有する、デバイス。
【請求項６】
前記第２及び第３のフィルタの前記出力は、０乃至１の範囲内の実質的に同等のスカラー値によって重みが付けられる請求項５に記載のデバイス。
【請求項７】
前記第２及び第３のフィルタの前記出力は、予め定義されたマッピング関係を通じて互いに関連づけられたスカラー値によって重みが付けられる請求項５に記載のデバイス。
【請求項８】
前記スカラー値は、前記判定フィードバック入力信号の信頼性係数を表す請求項６に記載のデバイス。
【請求項９】
前記スカラー値は、前記判定フィードバック入力信号の信頼性係数を表す請求項７に記載のデバイス。
【請求項１０】
前記第１のフィルタは、線形等化器を具備する請求項６に記載のデバイス。
【請求項１１】
前記第１のフィルタは、線形ＭＭＳＥ等化器を具備する請求項６に記載のデバイス。
【請求項１２】
前記第１のフィルタは、線形ＺＦ等化器を具備する請求項６に記載のデバイス。
【請求項１３】
前記信頼性係数に関する値を生成する回路をさらに具備する請求項９に記載のデバイス。
【請求項１４】
前記送信されたシンボルシーケンスは、少なくとも１つの既知のシンボルシーケンスを具備し、前記信頼性係数の前記値は、前記既知のシンボルシーケンスに少なくとも部分的に基づいて生成される請求項１３に記載のデバイス。
【請求項１５】
前記回路は、前記判定装置の前記出力における以前のシンボルシーケンス及び復号器からの再生成されたシンボルシーケンスを比較することによって前記信頼性係数の値を生成する請求項１３に記載のデバイス。
【請求項１６】
前記送信されたシンボルシーケンスは、少なくとも既知のシンボルシーケンスを具備し、前記第１のフィルタ係数は、前記既知のシンボルシーケンスを少なくとも部分的に用いることによって選択される請求項６に記載のデバイス。
【請求項１７】
前記送信されたシンボルシーケンスは、第２の既知のシンボルシーケンスを具備し、前記第２及び第３のフィルタの前記フィルタ係数は、前記第１のフィルタの前記出力シンボルシーケンスと前記第２の既知のシンボルシーケンスとの間の違いを用いて設定される請求項１６に記載のデバイス。
【請求項１８】
受信された信号を処理する方法であって、線形等化と判定帰還型等化の間におけるソフト切り換えを具備する、方法。
【請求項１９】
前記ソフト切り換えは、判定フィードバック信号が等化のためにどの程度用いられるかを制御するために０乃至１の範囲内の値を有する信頼性係数を変更することを具備する請求項１８に記載の方法。
【請求項２０】
ソフト切り換えは、
信頼性係数を０に設定することによって線形等化のみを行うことと、
前記等化されたシンボルの推定が一組の予め決められたシンボルのうちの１つであるように前記推定を構築することと、
前記信頼性係数を増加させることと、
以前の構築からの前記シンボル推定を用いて前記判定帰還型等化を行うことと、
構築するステップ、増加させるステップ及び判定帰還型等化を行うステップを、前記係数が少なくとも予め決められた最大値になるまで繰り返すこと、とを具備し、０乃至１の範囲内の値を有する前記信頼性係数は、判定フィードバック信号が等化のためにどの程度用いられるかを制御し、前記信頼性係数が０に設定された場合はフィードバックが用いられず、１に設定された場合は全フィードバックが用いられる請求項１８に記載の方法。
【請求項２１】
ソフト切り換えは、
信頼性係数を０に設定することによって線形等化のみを行うことと、
前記等化されたシンボルの推定が一組の予め決められたシンボルのうちの１つであるように前記推定を構築することと、
前記信頼性係数を更新することと、
以前の構築からの前記シンボル推定を用いて前記判定帰還型等化を行うことと、
構築するステップ、更新するステップ及び判定帰還型等化を行うステップを、前記係数の増分が予め決められたしきい値よりも小さくなるまで又は最大繰り返し回数に達するまで繰り返すこと、とを具備し、０乃至１の範囲内の値を有する前記信頼性係数は、判定フィードバック信号が等化のためにどの程度用いられるかを制御し、前記信頼性係数が０に設定された場合はフィードバックが用いられず、１に設定された場合は全フィードバックが用いられる請求項１８に記載の方法。
【請求項２２】
復号を行うことをさらに具備し、前記更新することは、以前のシンボル推定及び復号からの再生成されたシンボルシーケンスを比較することを具備する請求項２１に記載の方法。
【請求項２３】
前記受信された信号は、少なくとも既知のシンボルシーケンスを具備する、チャネルを通じて送信されたシンボルシーケンスであり、前記更新することは、前記既知のシンボルシーケンスに少なくとも部分的に基く請求項２１に記載の方法。
【請求項２４】
ソフト切り換えは、
信頼性係数を０に設定することによって線形等化のみを行うことと、
前記等化されたシンボルの推定が一組の予め決められたシンボルのうちの１つであるように前記推定を構築することと、
以前の構築からの前記シンボル推定を用いて前記判定帰還型等化を行うことと、
復号及びＣＲＣ検査を行うことと、
ＣＲＣ検査に合格した場合は前記信頼性係数を更新することと、
送信されたシンボルシーケンスを処理するために構築するステップ、判定帰還型等化を行うステップ、復号及びＣＲＣ検査を行うステップ、及び更新するステップを繰り返すこと、とを具備し、０乃至１の範囲内の値を有する前記信頼性係数は、判定フィードバック信号が等化のためにどの程度依存されるかを制御し、前記信頼性係数が０に設定された場合はフィードバックが適用されず、１に設定された場合は全フィードバックが適用される請求項１８に記載の方法。
【請求項２５】
前記更新することは、以前のシンボル推定及び復号からの再生成されたシンボルシーケンスを比較することを具備する請求項２４に記載の方法。
【請求項２６】
受信された信号を処理する方法であって、
信号を受信することと、
第１のフィルタで前記信号をフィルタリングすることと、
第２のフィルタで前記第１のフィルタの出力をフィルタリングすることと、
前記第１のフィルタの前記出力を前記第２のフィルタの出力に加えることと、
前記加えるステップの結果から判定フィードバック信号を減じて判定のための信号を提供することと、
前記減じるステップの結果得られるシンボルの推定が一組の予め決められたシンボルのうちの１つであるように前記推定を構築することと、
前記第２のフィルタと実質的に同じフィルタ係数を有する第３のフィルタを用いて前記シンボル推定のシーケンスをフィルタリングして前記判定フィードバック信号を提供すること、とを具備する、方法。
【請求項２７】
受信された信号を処理するためのデバイスであって、
前記信号を受信するための手段と、
線形等化と判定帰還型等化の間においてソフト切り換えるための手段と、を具備する、デバイス。
【請求項２８】
ソフト切り換えるための前記手段は、判定フィードバック信号が等化のためにどの程度用いられるかを制御するために０乃至１の範囲内の値を有する信頼性係数を変更するための手段を具備する請求項２７に記載のデバイス。
【請求項２９】
ソフト切り換えるための前記手段は、
信頼性係数を０に設定することによって線形等化のみを行うための手段と、
前記等化されたシンボルの推定が一組の予め決められたシンボルのうちの１つであるように前記推定を構築するための手段と、
前記信頼性係数を増加させるための手段と、
以前の構築からの前記シンボル推定を用いて前記判定帰還型等化を行うための手段と、を具備し、
０乃至１の範囲内の値を有する前記信頼性係数は、判定フィードバック信号が等化のためにどの程度用いられるかを制御し、前記信頼性係数が０に設定された場合はフィードバックが用いられず、１に設定された場合は全フィードバックが用いられる請求項２７に記載のデバイス。
【請求項３０】
ソフト切り換えるための前記手段は、
信頼性係数を０に設定することによって線形等化のみを行うための手段と、
前記等化されたシンボルの推定が一組の予め決められたシンボルのうちの１つであるように前記推定を構築するための手段と、
前記信頼性係数を更新するための手段と、
以前の構築からの前記シンボル推定を用いて前記判定帰還型等化を行うための手段と、を具備し、０乃至１の範囲内の値を有する前記信頼性係数は、判定フィードバック信号が等化のためにどの程度用いられるかを制御し、前記信頼性係数が０に設定された場合はフィードバックが用いられず、１に設定された場合は全フィードバックが用いられる請求項２７に記載のデバイス。
【請求項３１】
復号するための手段をさらに具備し、更新するための前記手段は、以前のシンボル推定及び復号からの再生成されたシンボルシーケンスを比較するための手段を具備する請求項３０に記載のデバイス。
【請求項３２】
前記受信された信号は、少なくとも既知のシンボルシーケンスを具備する、チャネルを通じて送信されたシンボルシーケンスであり、前記更新することは、前記既知のシンボルシーケンスに少なくとも部分的に基づく請求項３０に記載のデバイス。
【請求項３３】
ソフト切り換えるための前記手段は、
信頼性係数を０に設定することによって線形等化のみを行うための手段と、
前記等化されたシンボルの推定が一組の予め決められたシンボルのうちの１つであるように前記推定を構築するための手段と、
以前の構築からのシンボル推定を用いて前記判定帰還型等化を行うための手段と、
復号及びＣＲＣ検査を行うための手段と、
ＣＲＣ検査に合格した場合は前記信頼性係数を更新するための手段と、を具備し、０乃至１の範囲内の値を有する前記信頼性係数は、判定フィードバック信号が等化のためにどの程度依存されるかを制御し、前記信頼性係数が０に設定された場合はフィードバックが適用されず、１に設定された場合は全フィードバックが適用される請求項２７に記載のデバイス。
【請求項３４】
更新するための前記手段は、以前のシンボル推定及び復号からの再生成されたシンボルシーケンスを比較するための手段を具備する請求項３３に記載のデバイス。
【請求項３５】
受信された信号を処理するように構成されたデバイスであって、
第１のフィルタで前記信号をフィルタリングするための手段と、
第２のフィルタで前記第１のフィルタの出力をフィルタリングするための手段と、
前記第１のフィルタの前記出力を前記第２のフィルタの出力に加えるための手段と、
前記加えた結果から判定フィードバック信号を減じて構築のための信号を提供するための手段と、
前記減じた結果の推定が一組の予め決められたシンボルのうちの１つであるように前記推定を構築するための手段と、
前記第２のフィルタと実質的に同じフィルタ係数を有する第３のフィルタを用いて前記シンボル推定のシーケンスをフィルタリングして前記判定フィードバック信号を提供するための手段と、を具備する、デバイス。
【発明の詳細な説明】
【技術分野】
【０００１】
３５Ｕ．Ｓ．Ｃ．§１１９に基づく優先権の主張
本特許出願は、"Method and Apparatus for Equalization in Wireless Communications"（無線通信における等化に関する方法及び装置）という題名を有し、本特許出願の譲受人に対して譲渡され、本明細書によって参照されることによって明示で本明細書に組み入れられている仮特許出願番号６０／６６６，３３５（出願日：２００５年３月２９日）に対する優先権を主張するものである。
【０００２】
本発明は、一般的には、無線通信に関する方法及び装置に関するものである。本発明は、より具体的には、等化制御に関する方法及び装置に関するものである。
【背景技術】
【０００３】
データ速度が高速の通信システムにおいては、受信されたデータにおける誤りが、利用可能な帯域幅の完全な利用を妨げる再送信遅延を引き起こす可能性がある。再送信遅延を低減させる一方法は、受信された信号におけるビット誤り率（ＢＥＲ）を低減させることである。
【０００４】
より具体的には、無線チャネルでの通信中に、チャネル挙動が経時で変化し、それによってチャネルを通じて送信された信号に対して影響を及ぼす（例えば、誤りを増加させる）。送信された信号が受信された時点でチャネル特性の前記変動を補償するのが望ましい。チャネル等化は、線形等化又は判定帰還型等化（ＤＦＥ）によって実装することができる。典型的には、ＤＦＥの性能は、フィードバックシーケンスが信頼できる場合は線形等化よりも優れているが、その他の場合は悪化する可能性がある。従って、ＤＦＥを設計する際には判定の信頼性を考慮に入れることが望ましい。一方法は、フィルタ設計をＤＦＥ信頼性の関数として更新することである。しかしながら、現在検討されている実装方法は、強力な計算能力を要求する。
【０００５】
従って、等化フィルタリングを最適化する際における計算の複雑さを単純化する必要がある。
【発明の概要】
【０００６】
本発明の一側面は、チャネルを通じて送信されたシンボルシーケンスを具備する信号を処理するように構成されたデバイスである。前記デバイスは、前記信号を受信する入力を有する第１のフィルタと、減算器、判定装置、及び第２のフィルタを具備するフィードバックループと、を具備する。前記減算器は、前記第２のフィルタの出力を前記第１のフィルタの出力から減じるために接続される。前記判定装置は、前記減算器の出力に接続された入力及び前記第２のフィルタの入力に接続された出力を有する。前記第２のフィルタは、判定信頼性評価基準を具備するスカラー値によって重みが付けられた係数を有する。
【０００７】
本発明の他の側面は、チャネルを通じて送信されたシンボルシーケンスを具備する信号を処理するように構成されたデバイスである。前記デバイスは、前記信号を受信する入力を有する第１のフィルタと、前記第１のフィルタの出力に結合された入力を有する第２のフィルタと、前記第１のフィルタの出力及び前記第２のフィルタの出力を合計するために接続された加算器と、減算器、判定装置、及び前記第２のフィルタと実質的に同じフィルタ係数を有する第３のフィルタを具備する判定フィードバックループと、を具備する。前記減算器は、前記第３のフィルタの出力を前記加算器の出力から減じるために接続される。前記判定装置は、前記減算器の出力に接続された入力と、前記第３のフィルタの入力に接続された出力を有する。
【０００８】
本発明のさらに他の側面は、線形等化と判定帰還型等化の間におけるソフト切り換えを具備する受信信号処理方法である。
【０００９】
本発明のさらに他の側面は、受信された信号を処理する方法である。前記方法は、信号を受信することと、前記信号を第１のフィルタでフィルタリングすることと、前記第１のフィルタの出力を第２のフィルタでフィルタリングすることと、前記第１のフィルタの出力を前記第２のフィルタの出力に加えることと、前記加えた結果から判定フィードバック信号を減じて判定のための信号を提供することと、前記減じるステップの結果得られるシンボルの推定が一組の予め決められたシンボルのうちの１つであるように前記推定を構築することと、前記第２のフィルタと実質的に同じフィルタ係数を有する第３のフィルタを用いて前記シンボル推定のシーケンスをフィルタリングして前記判定フィードバック信号を提供すること、とを具備する。
【００１０】
本発明のさらに他の側面は、受信された信号を処理するためのデバイスである。前記デバイスは、線形等化と判定帰還型等化の間におけるソフト切り換えのための手段と、等化された信号を復号するための手段と、を具備する。
【００１１】
本発明のさらに他の側面は、受信された信号を処理するように構成されたデバイスである。前記デバイスは、前記信号を第１のフィルタでフィルタリングするための手段と、前記第１のフィルタの出力を第２のフィルタでフィルタリングするための手段と、前記第１のフィルタの出力を前記第２のフィルタの出力に加えるための手段と、前記加えた結果から判定フィードバック信号を減じて構築のための信号を提供するための手段と、前記減じた結果の推定が一組の予め決められたシンボルのうちの１つであるように前記推定を構築するための手段と、前記第２のフィルタと実質的に同じフィルタ係数を有する第３のフィルタを用いて前記シンボル推定のシーケンスをフィルタリングして前記判定フィードバック信号を提供するための手段と、を具備する。
【図面の簡単な説明】
【００１２】
【図１】典型的無線通信システム１００の概要を示した図である。
【図２】図１のシステムの異なる実施形態おける送信に関する２つの異なる典型的信号フォーマットを示したブロック図である。
【図３】典型的チャネル／受信機の動作を示した機能ブロック図である。
【図４】信頼性係数が予め設計されたＤＦＥ内に組み入れられている典型的チャネル／受信機の動作を示した機能ブロック図である。
【図５】図１の典型的システム１００において受信された信号を等化する典型的方法５００を示した流れ図である。
【図６】図１の典型的システム１００において線形等化とＤＦＥ等化の間でソフト切り換える典型的方法を示した流れ図である。
【図７】図１の典型的システム１００において線形等化とＤＦＥ等化の間でソフト切り換える他の典型的方法を示した流れ図である。
【図８】図１の典型的システム１００において線形等化とＤＦＥ等化の間でソフト切り換える他の典型的方法を示した流れ図である。
【図９】図１の典型的システム１００において線形等化とＤＦＥ等化の間でソフト切り換える他の典型的方法を示した流れ図である。
【発明を実施するための形態】
【００１３】
以下の詳細な説明は、本発明の特定の実施形態に関するものである。しかしながら、本発明は、請求項による定義に応じて及び請求項によって網羅された範囲で多数の異なる方法で具体化することが可能である。この説明においては、図面が参照されており、同一のものについては図面全体に渡って同一の参照番号を付すこととする。
【００１４】
本明細書において用いられている「典型的な」という表現は、「1つの例、事例、又は実例」を示すことを目的とするものである。このため、本明細書において「典型的な」実施形態として説明されているいずれの実施形態も、その他の実施形態よりも好ましい又は有利であるとは必ずしも解釈すべきではない。
【００１５】
一実施形態においては、受信機は、無線周波（ＲＦ）チャネルを通じて送信された信号を受信する。受信機は、線形等化器と、判定フィードバックフィルタと、線形等化器に連結された補償フィルタと、を具備し、フィードバックフィルタ及び補償フィルタは、実質的に同じフィルタ係数を有する。第１の乗算信頼性係数がフィードバックフィルタの出力に加えられ、予め定義されたマッピング関係を通じて第１の係数と関連づけられた第２の乗算係数が補償フィルタの出力に加えられる。この構造においては、線形等化と全判定帰還型等化（ＤＦＥ）へのソフト切り換えの効果は、信頼性係数を変化させることによって実現される。線形等化と判定帰還型等化の間における「ソフト切り換え」は、判定フィードバックが等化フィルタの出力に与える影響の度合いを調整することを意味する。線形フィルタは、既知の基準データを用いて設計することができる。フィードバックフィルタ及び補償フィルタの係数は、線形フィルタからの出力と既知の基準信号との間の誤りシーケンスを用いて決定することができる。
【００１６】
図１は、典型的な無線通信システム１００の概要を示す。典型的実施形態においては、通信システム１００は、１つ以上の基地局１０２と、１つ以上のユーザー端末１０４と、を含む。典型的実施形態においては、通信システムは、セルラー無線ネットワークとして動作するように構成される。セルラー無線ネットワークは、１つ以上の基地局１０２を含む。各基地局１０２は、１つのセルのエリアよりも広範なエリアにわたる無線カバレッジを提供するために（重なり合うことができる）異なるエリア（「セル」）に通信を提供する。ユーザー端末１０４は、所在場所において固定させること又は移動可能であることができる。移動中のユーザー端末１０４がセル内に入るか又はセルを通過するときに該移動中のユーザー端末１０４が異なる基地局１０２と通信するのを可能にするために様々なハンドオフ技術を用いることができる。その他の実施形態においては、通信システム１００は、ユーザー端末１０２間におけるポイントツーポイント通信又は一方向通信リンクを含むことができる。さらに、本明細書においては、一定の実施形態は、無線周波（ＲＦ）搬送波を用いた無線通信を参照して説明される。しかしながら、その他の実施形態においては、通信ネットワークは、有線接続を通じての光学信号又は通信等のその他の通信媒体を含むことができる。
【００１７】
システム１００の様々な実施形態は、１つ以上のＲＦ周波数帯域、例えば、８００ＭＨｚ、８５０ＭＨｚ、９００ＭＨｚ、１８００ＭＨｚ、１９００ＭＨｚ、又は２０００ＭＨｚを中心とする周波数帯域、で１つ以上のチャネルを通じて通信することができる。通信システム１００の実施形態は、通信システムが基地局１０２とユーザー端末１０４の間の無線リンクをどのようにして動作させるかを決定する多重接続プロトコルを含むことができる。例えば、通信システム１００は、符号分割多重接続（ＣＤＭＡ）に基づくインタフェース又は時分割多重接続（ＴＤＭＡ）インタフェースを用いることができる。１つの典型的な実施形態においては、通信システム１００は、１９００ＭＨｚ帯域において５ＭＨｚチャネルを利用する広帯域ＣＤＭＡ（Ｗ−ＣＤＭＡ）インタフェースを含む。典型的には、この５ＭＨｚ帯域の３．８４ＭＨｚのみを利用可能である。
【００１８】
通信チャネルを通じて送信するために、ビット又はチップのグループが送信シンボルの「アルファベット」上にマッピングされる。各シンボルは、搬送波の特定の変調状態として該搬送波上に符号化される。アルファベットの各シンボルは、例えば、搬送波の選択された位相、周波数、及び／又は振幅の状態に対応することができる。受信機においては、搬送波の状態が検出され、送信中のシンボルのストリームが決定される。次に、シンボルストリームが復号されて元来の送信されたデジタルデータが復元される。
【００１９】
一定の型のデータ送信は、再送信遅延、例えばＴＣＰ（転送制御プロトコル）等の音声及び共通インターネットプロトコル、による影響を受けやすい。例えば、ＴＣＰ接続は、一般的には、送信時間（失われたデータをより低いレベルの送信層において再送信するための時間を含む）が長すぎる場合は利用可能なチャネル帯域幅を完全に利用しない。一実施形態においては、通信システム１００のビット誤り率（ＢＥＲ）、そして究極的にはＴＣＰ等のより高いレベルのセグメント誤り率、は、本発明の側面により受信信号のチャネル等化を行うことによって低減される。
【００２０】
図２は、図１のシステムの異なる実施形態における送信に関する２つの異なる典型的信号フォーマットを示したブロック図である。一実施形態においては、周波数領域データ処理を容易にするため及び向上させるためにサイクリックプリフィックス（ＣＰ）が用いられる。高速フーリエ変換（ＦＦＴ）によって１つの単位として処理される各データブロックから、最後の幾つかのシンボルを含む部分１２２がＣＰとしてデータブロックの前部にコピーされる（ブロック１１２）。他の実施形態においては、一意語（ＵＷ）と呼ばれる既知のシーケンスが連続するデータシンボルブロック間に置かれる。
【００２１】
チャネルは、信号が送信される通信媒体を指す。一般的には、チャネルは完全ではない。チャネルは、一般的には、チャネルを通じて送信された信号に対して影響を及ぼす時間及び／又は周波数依存特性を有する。数学的には、チャネルは、例えばチャネルに入力された、例えば送信された、信号を、チャネルから出力された、例えば受信された、信号と関連づけるチャネルインパルス応答h(n)によって表すこと又は特徴づけることができる。
【００２２】
等化は、一般的には、信号が送信されるチャネルの動的特性に応じて受信信号が処理されるプロセスを指す。等化は、時間領域又は周波数領域において実行することができる。しかしながら、時間領域等化器は、計算が複雑になる可能性がある。
【００２３】
図３は、典型的チャネル／受信機の動作を示した機能ブロック図である。様々な実施形態においては、図３に示される機能ブロック図は、ソフトウェア命令を実行するプロセッサによってデジタル回路として、アナログ回路として、又はその組合せとして実装することができる。
【００２４】
図３に示されるように、信号x(n)は、送信のためにチャネル４８０に供給される。一実施形態においては、x(n)は、基準信号、例えば一意語（ＵＷ）と、未知の信号であるデータと、を具備する。一実施形態においては、x(n)は、シンボルのシーケンスを具備する。
【００２５】
チャネル４８０は、そのチャネルインパルス応答、h(n)３１０によって表すこと又は特徴づけることができる。チャネルの動作は、送信された信号x(n)、例えばx(n)*h(n)によるチャネルインパルス応答h(n)の畳み込みとして表すことができる。
【００２６】
信号x(n)は、典型的には、チャネルを通じて送信中に、加法性雑音n(n)によって崩壊される。この雑音は、無線信号送信の場合のように、送信において出くわす干渉から発生する可能性がある。この背景雑音が送信中に信号に加えられるという事実は、図３において加算器３２０及び雑音信号n(n)によって表されている。受信された信号r(n)は、以下のように計算することができる。
【数１】
2011223591.tif 000003
【００２７】
図３に示される典型的実施形態においては、信号r(n)は、送信された信号x(n)を受信された信号r(n)から再構築するように構成される受信機によって受信される。ブロック３３０は、そのインパルス応答CF(n)によって表される線形等化器である。
【００２８】
一実施形態においては、ブロック３３０は、線形の最小平均二乗誤差（ＭＭＳＥ）等化器である。典型的には、誤差は、２つの成分、すなわち加法性雑音及びＩＳＩを具備する。ＩＳＩは、一般的には、隣接するシンボルが互いに重なり合うときに発生する可能性がある信号内における（データ内の異なるシンボルに対応する）パルス間の干渉を指す。
【００２９】
線形ＭＭＳＥ等化器ｃＦ(n)は、以下の周波数応答を受け取る。
【数２】
2011223591.tif 000004
【００３０】
ここで、Sx(ｆ)及びSn(ｆ)は、x(n)及びn(n)の電力スペクトルであり、H(ｆ)は、チャネルの周波数応答であり、H*(ｆ)は、H(ｆ)の複素共役である。信号の電力スペクトルは、該信号を形成する異なる周波数の強度を測定する。Sx(ｆ)及びSn(ｆ)は両方とも、前に受信されたデータから導き出すことができるか又は信号帯域幅全体を通じて平らであるとしばしば想定される。結果的に得られた以下のＭＭＳＥ複合誤差、
ｅ(n)＝x(n)−y(n)                                            （３）
は以下の電力スペクトルを有する。
【数３】
2011223591.tif 000005
【００３１】
等化器出力の時間領域信号は、以下によって生成される。
【数４】
2011223591.tif 000006
【００３２】
他の実施形態においては、フィルタ３３０は、出力内のＩＳＩ成分を強制的にゼロにするように構成されたフィルタである線形ゼロフォーシング等化器である。この実施形態においては、誤差スペクトルは以下のようになる。
【数５】
2011223591.tif 000007
【００３３】
複合誤差スペクトルは、原データスペクトル及び雑音スペクトルが平らであっても、チャネルスペクトルH(ｆ)が平らでないかぎりＭＭＳＥ及びＺＦのいずれにおいても平らでない。多くの場合は、チャネルは、周波数選択性が高く、このためチャネルスペクトルH(f)は平らでない。従って、誤差信号は白色ではない。その他の実施形態においては、ＭＭＳＥ又はＺＦ等化器以外のフィルタも使用可能である。
【００３４】
フィルタ３３０は、時間領域又は周波数領域のいずれにおいても実現可能である。一実施形態においては、線形周波数領域等化（ＦＤＥ）処理（ＭＭＳＥ又はＺＦのいずれか）は、長さＭのサンプルのＵＷ部分を有する受信信号ブロックに対して離散フーリエ変換を適用後に行われる。次に、ＦＤＥ出力Y(ｆ)内の周波数サンプルが、逆離散フーリエ変換（ＩＤＦＴ）によって時間領域サンプルy(n)に変換される。
【００３５】
そのインパルス応答ｃＢ(n)によって表されるフィルタ３４０は、サンプルy(n)に含まれる有色複合雑音をさらに低減させるためにフィルタ３３０の後に置かれる。一実施形態においては、ブロック３４０は、有色複合雑音を抑制及び白色化するように構成されたＬタップモニック予測誤差生成フィルタである。線形予測フィルタは、離散時間ランダム過程の現在のサンプルの推定を、過去のサンプルの線形結合から形成する。線形予測フィルタは、情報に基づく現在のサンプルの推定を過去に基づいて構築するためにサンプル間の相関関係を用いる。
【００３６】
一実施形態においては、フィルタ３４０は、フィルタ３３０からの出力サンプルy(n)と基準信号、例えばＵＷ、との間の誤差シーケンスを用いて設計することができる。
【数６】
2011223591.tif 000008
【００３７】
次に、Ｌタップモニック予測誤差生成フィルタ重み
【数７】
2011223591.tif 000009
【００３８】
は
【数８】
2011223591.tif 000010
【００３９】
を最小化するように設計されている。
【００４０】
この問題を解く一方法は、最小二乗（ＬＳ）手法と呼ばれる統計的解法の適用を含み、線形予測フィルタの係数
【数９】
2011223591.tif 000011
【００４１】
は、
【数１０】
2011223591.tif 000012
【００４２】
を最小にするように最適化される。最適なLS解は以下のように得ることができる。
【数１１】
2011223591.tif 000013
【００４３】
そして、Ｌは、L ≦ M / 2 + 1を満たすように設定すべきである。フィルタ３３０及び３４０は、２つの別個のフィルタである必要がない。これらのフィルタは、以下のインパルス応答を有する１つのフィルタに置換することができる。
【数１２】
2011223591.tif 000014
【００４４】
次に、フィルタ３４０からの出力は、加算器３５０、判定装置３６０、及びインパルス応答ｃpost(n)によって表されるフィードバックフィルタ３７０を具備する判定（負）フィードバックループによって処理される。
【００４５】
一実施形態においては、送信された信号x(n)は、アルファベットから取り出されたシンボルのシーケンスである。加法性雑音及び信号歪みに起因して、受信器によって受信されて前置フィルタ３９０によってフィルタリングされた信号は、アルファベットの許容されたシンボルに正確に対応することができない。判定装置３６０は、実際の送信信号の推定又は推測を入力における信号から構築し、このため判定装置の出力はアルファベットに属する。判定装置３６０の出力におけるシンボルシーケンスは、硬判定シンボルシーケンスと呼ばれる。一実施形態においては、判定デバイス３６０は、一連の判定しきい値を入力信号に適用する量子化器であることができる。
【００４６】
フィードバックフィルタ３７０は、フィルタ３４０と実質的に同じ係数を有する予測フィルタである。フィルタ３７０の係数は、以下の式によって決定することができる。
【数１３】
2011223591.tif 000015
【００４７】
従って、２つのフィルタ間では第１の係数のみが異なる。
【００４８】
復号器４１０は、判定装置３６０の入力においてシンボルシーケンスを受け取ってビットシーケンスに復号する。次に、ＣＲＣ検査装置４２０は、ビットシーケンスを受け取り、復号の際に誤りが存在するかどうかを検査して訂正可能なビット誤りを訂正し、ビットシーケンスBkを出力する。その他の実施形態においては、復号器４１０は、代わりに判定装置３６０の後に置くことができる。さらに、ＣＲＣ検査は、その他の復号誤り検査方式に代えることができる。
【００４９】
図３のＤＦＥ構造は、フィルタ３４０によって導入された信号の歪みを完璧に元に戻すべきであるため、フィードバック信号の誤りがないときのみに最適である。しかしながら、現実的には、フィードバックループには判定上の誤りが存在するのが典型的である。判定装置が不正確な判定をしたときには、ＩＳＩの訂正が不正確になり、将来の判定の妨げになる。このことは、誤り伝播と呼ばれる。
【００５０】
この問題を解決するために、判定装置３６０によって行われた不正確な判定に起因する歪みの影響を軽減させるべきである。この軽減を完遂させるために、フィルタ３４０及び３７０は、各判定サイクル後に判定信頼性の関数として改修することができる。しかしながら、この改修は、特にフィルタの改良が繰り返し行われた場合に非常に複雑な計算を要求する。
【００５１】
図４は、予め設計されたＤＦＥ内への信頼性係数の単純であるがもっともらしい組み入れが行われる典型的なチャネル／受信機の動作を示した機能ブロック図である。この実施形態は、図３の受信機の計算上の複雑さを回避する。
【００５２】
図４に示されるように、乗算信頼性係数α及び関連する乗算係数f(α)が予測フィルタ３７２及び３４２に組み入れられ、これらのフィルタの係数は、シーケンス{−p(n)}によって決定される。予め定義されたマッピング関係f(α)には数多くの異なる選択肢が存在する。一実施形態においては、f(α) = αである。他の実施形態においては、f(α) = α^2である。これで、フィルタ３４０及び３７０の係数は以下のとおりである。
【数１４】
2011223591.tif 000016
【００５３】
図４の実施形態において、フィルタ３４０は、時間遅延装置３４６、予測フィルタ３４２、f(α)の利得を有する乗算スカラー３４４、及び加算器３４８を具備する構造によって実現される。判定装置３６０は、シンボル遅延を導入するため、時間遅延装置３４６は、フィルタ３４２からの出力と判定フィードバック信号との間において同期化を達成させるために加えられる。フィルタ３４２の係数は、シーケンス{−p(n)}によって決定される。フィルタ３４２及びスカラー３４４は、１つのフィルタ３４７として実現できることが理解されるであろう。
【００５４】
フィルタ３７０は、αの利得を有する乗算スカラー３７４を、その係数がシーケンス{−p(n)}によって決定されるフィルタ３７２と直列に置くことによって実現させることができる。
【００５５】
信頼性係数αは、判定誤差がほぼゼロである場合は１に設定され、判定がまったく信頼できない場合は０に設定される。αは、判定プロセスの信頼性に依存して、０乃至１の範囲内の値に設定することができる。
【００５６】
一実施形態においては、制御回路３８０は、信頼性係数に関する０乃至１の値を生成するように及びスカラー３４４及び３７４を適宜調整するように構成される。より高い信頼性が確保されてαが１に近くなるように信頼性係数に関する値を生成するための様々な方法が存在する。一実施形態においては、信頼性係数は、{p(n)}の生成に関して用いられなかったＵＷ部分を用いることによって生成することができる。
【００５７】
他の実施形態においては、信頼性係数は、判定装置３６０の出力におけるシンボルシーケンス及び復号されたビットシーケンス
【数１５】
2011223591.tif 000017
【００５８】
からの再生成されたシンボルシーケンスを比較することによって生成することができる。フレーム（ビットシーケンス）がＣＲＣ検査に合格したときに、送信機によって用いられたのと同じビットからシンボルへの変換方式を用いることによって、送信されたシンボルシーケンスをB^kから再生成することができる。
【００５９】
信頼性係数を提供するための評価基準は、異なる実施形態ごとに異なることができる。一実施形態においては、信頼性係数に関する評価基準は、累積シンボル判定合格確率であること又は基準信号シーケンスと送信された基準シンボルに応じて生成される判定装置３６０の出力における硬判定シンボルシーケンスとの間の正規化された相関関係であることができる。
【００６０】
図５は、図１の典型的システム１００において受信された信号を等化する典型的方法５００を示す流れ図である。方法５００は、ブロック５０２において開始し、ブロック５０２において、受信機は、チャネルを通じて送信された信号r(n)を受信する。ブロック５０４に進み、r(n)は、線形等化器等の第１のフィルタによってフィルタリングされる。次にブロック５０６において、第２のフィルタは、第１のフィルタからの出力をフィルタリングする。ブロック５０８に進み、第１のフィルタからの出力が第２のフィルタからの出力に加えられる。ブロック５１０に進み、第３のフィルタの出力からのフィードバック信号が、ブロック５０８において得られた信号から減じられる。次にブロック５１２において、判定装置は、入力における信号、例えばブロック５１０の結果得られた信号、からの送信シンボルの推定が一組の予め決められたシンボル、例えばアルファベット、の１つであるように前記推定を構築する。ブロック５１４に進み、第３のフィルタは、シンボル推定値のシーケンスを判定装置から受け取り、判定フィードバック信号を生成する。
【００６１】
図６は、線形等化とＤＦＥ等化の間におけるソフト切り換えの典型的方法を示す流れ図である。０乃至１の範囲内の値を有する信頼性係数αは、判定フィードバック信号が等化に関してどの程度依存されるかを制御する。αが０に設定されたときには、判定フィードバックは適用されない。受信機は、線形等化のみを受信信号r(n)に適用する。信頼性係数が１に設定されたときには、全判定フィードバックが適用される。
【００６２】
方法６００は、ブロック６０２において開始し、ブロック６０２において、制御回路は、信頼性係数αをゼロに設定する。ブロック６０４に進み、決定装置は、入力におけるシンボルの推定が一組の予め決められたシンボル、例えばアルファベット、のうちの１つであるように前記推定を構築する。次にブロック６０６において、制御回路は、信頼性係数αを小さい値、例えば０．１だけ増加させる。ブロック６０８に進み、以前の判定からのシンボル推定のシーケンスを用いて、ゼロ以外の小さい値αによるＤＦＥ処理が行われる。ブロック６１２において、制御回路は、予め決められた最大値に達しているか又は超えているかどうかを決定する。この値は、典型的には１であるが、１未満であることも可能である。その答えがいいえである場合は、方法は、ブロック６０４に戻り、他の繰り返しを開始させる。その答えがはいである場合は、次にブロック６１４において、ソフトシンボル（すなわち、判定装置の入力）が復号器に送られてデータ復号が行われる。
【００６３】
図７は、線形等化とＤＦＥ等化の間におけるソフト切り換えのさらに他の方法を示す流れ図である。典型的実施形態においては、既知の基準シンボルと判定装置によって生成されたその推定を比較することによって、各繰り返しにおいて信頼性係数を盲目的に増加させる代わりに適応的に更新することができる。繰り返しプロセスは、信頼性係数のより有意な変化がそれ以上存在しないか又は予め決められた繰り返し回数後に完了する。方法は、ブロック７０２において開始し、ブロック７０２において、制御回路は、信頼性係数αをゼロに設定する。ブロック７０４に進み、受信機は、通信チャネルを通じて送信される既知の基準シンボルシーケンスを受信する。次にブロック７０６において、受信機は、信頼性係数の現在値によって減衰された判定フィードバック信号による判定帰還型等化を行う。このステップ中に、判定装置は、入力におけるシンボルの推定を構築する。判定フィードバック信号は、シンボル推定値に基づいて生成される。次にブロック７０８において、制御回路は、判定フィードバックシンボル推定を受信された既知の基準シンボルと比較し、フィードバックシンボル決定の精度を決定する。ブロック７１０に進み、制御回路は、フィードバックシンボル判定の精度に基づいて信頼性係数を更新する。ブロック７１２において、制御回路は、信頼性係数の増分が予め決められたしきい値よりも小さいかどうか又は最大繰り返し回数に達しているかどうかを決定する。その答えがいいえである場合は、方法は、ブロック７０６に戻り、他の繰り返しを開始させる。その答えがはいである場合は、次にブロック７１４において、受信機は、データをフィルタリングし、現在値に設定された信頼性係数を用いてデータを復号する。
【００６４】
図８は、線形等化とＤＦＥ等化の間におけるソフト切り換えのさらに他の方法を示す流れ図である。典型的実施形態においては、繰り返し手法が採用され、信頼性係数が０から予め決められた最大値までゆっくりと増加される。繰り返しが終了後、信頼性係数は、受信された既知のシンボルシーケンスを推定する際に最も少ない数の誤りを生じさせた値に設定される。方法は、ブロック８０２において開始し、ブロック８０２において、制御回路は、信頼性係数αをゼロに設定する。ブロック８０４に進み、受信機は、通信チャネルを通じて送信された既知の基準シンボルシーケンスを受信する。次にブロック８０６において、受信機は、信頼性係数の現在値によって減衰された判定フィードバック信号による判定帰還型等化を行う。このステップ中に、判定装置は、入力におけるシンボルの推定を構築する。判定フィードバック信号は、シンボル推定に基づいて生成される。次にブロック８０８において、制御回路は、信頼性係数αを小さい値、例えば０．１、だけ増加させる。ブロック８１０に進み、制御回路は、予め決められた最大値に達しているか又は超えているかを決定する。この値は典型的には１であるが、１未満であることも可能である。その答えがいいえである場合は、方法は、ブロック８０６に戻り、他の繰り返しを開始させる。その答えがはいである場合は、次にブロック８１２において、制御回路は、選択され値がフィードバックシンボル推定を構築する際に最も少ない数の誤りを生じさせるようなゼロと予め決められた最大値の間の値に信頼性係数を設定する。誤りが存在するかどうかは、判定フィードバックシンボル推定を受信された既知の基準シンボルと比較することによって決定される。ブロック８１４に進み、受信機は、決定された信頼性係数に対応するソフトシンボルを供給することによってデータをフィルタリング及び復号する。
【００６５】
図９は、図１の典型的システム１００における線形等化とＤＦＥ等化の間でのソフト切り換えの他の典型的方法を示す流れ図である。この実施形態においては、信頼性係数αは、ＣＲＣ検査に合格した場合に復号データから再生成された受信シンボルに基づいて定期的に更新される。方法９００は、ブロック９０２において開始し、ブロック９０２において、制御回路は、信頼性係数αを初期値、例えばゼロ、に設定する。ブロック９０４に進み、受信機は、通信チャネルを通じて送信されたデータシンボルシーケンスを受信する。次にブロック９０６において、受信機は、信頼性係数の現在値によって減衰された判定フィードバック信号による判定帰還型等化を行う。このステップ中に、判定装置は、入力におけるシンボルの推定を構築する。判定フィードバック信号は、シンボル推定に基づいて生成される。ブロック９０８に進み、ソフトシンボルが復号器に送られる。次に、データ復号及びＣＲＣ検査が順次行われる。次にブロック９１０において、制御回路は、ＣＲＣ検査に合格した場合に、フィードバックシンボル判定の精度を決定するために、判定フィードバックシンボル推定を復号データから再生成された受信シンボルと比較する。次にブロック９１２において、制御回路は、フィードバックシンボル判定の精度に基づいて信頼性係数を更新する。
【００６６】
情報及び信号は様々な技術及び技法のうちのいずれかを用いて表すことができることを当業者は理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はその組合せによって表すことができる。
【００６７】
本明細書において開示される実施形態に関連して説明されている様々な例示的論理ブロック、モジュール、回路、及びアルゴリズム上のステップは、電子ハードウェアとして、コンピュータソフトウェアとして、又は両方の組合せとして実装できることを当業者はさらに理解するであろう。ハードウェアとソフトウェアのこの互換性を明確に例示するため、上記においては、様々な例示的構成要素、ブロック、モジュール、回路、及びステップが、各々の機能の観点で一般的に説明されている。これらの機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本発明の適用範囲からの逸脱を生じさせるものであるとは解釈すべきではない。
【００６８】
本明細書において開示される実施形態に関連して説明されている様々な例示的な論理ブロック、モジュール、及び回路は、本明細書において説明されている機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成品、又はそのあらゆる組合せ、とともに実装又は実行することができる。汎用プロセッサはマイクロプロセッサであることができるが、代替として、従来のどのようなプロセッサ、コントローラ、マイクロコントローラ、又はステートマシンであってもよい。さらに、プロセッサは、計算装置の組合せ、例えば、ＤＳＰと、１つのマイクロプロセッサとの組合せ、複数のマイクロプロセッサの組合せ、ＤＳＰコアと関連する1つ以上のマイクロプロセッサの組合せ、又はその他のあらゆる該コンフィギュレーションとの組合せ、として実装することもできる。
【００６９】
本明細書において開示される実施形態に関連して説明されている方法又はアルゴリズムのステップは、本発明の適用範囲から逸脱せずに互換することが可能である。これらのステップは、ハードウェア内において直接具体化させること、プロセッサによって実行されるソフトウェアモジュール内において具体化させること、又は両方の組合せ内において具体化させることができる。ソフトウェアモジュールは、ＲＡＭメモリ、フラッシュメモリ、ＲＯＭメモリ、ＥＲＰＯＭメモリ、ＥＥＲＰＯＭメモリ、レジスタ、ハードディスク、取り外し可能ディスク、ＣＤ−ＲＯＭ、又は当業において知られるその他のあらゆる形態の記憶媒体に常駐することが可能である。典型的記憶媒体は、プロセッサが記憶媒体から情報を読み出すことができるように及び記憶媒体に情報を書き込むことができるようにプロセッサに結合される。代替として、記憶媒体は、プロセッサと一体化させることができる。プロセッサ及び記憶媒体は、ＡＳＩＣ内に常駐することができる。ＡＳＩＣは、ユーザー端末内に常駐することができる。代替として、プロセッサ及び記憶媒体は、ユーザー端末において個別構成要素として常駐することができる。
【００７０】
開示されている実施形態に関する上記の説明は、当業者が本発明を製造又は使用できるようにすることを目的とするものである。これらの実施形態に対する様々な修正は、当業者にとっては容易に明確になるであろう。本明細書において定められている一般原理は、本発明の精神及び適用範囲を逸脱しない形でその他の実施形態に対しても適用することができる。以上のように、本発明は、本明細書において示されている実施形態に限定されることを意図するものではなく、本明細書において開示されている原理及び斬新な特長に一致する限りにおいて最も広範な適用範囲が認められるべきである。
【図１】
2011223591.tif 000018
【図２】
2011223591.tif 000019
【図３】
2011223591.tif 000020
【図４】
2011223591.tif 000021
【図５】
2011223591.tif 000022
【図６】
2011223591.tif 000023
【図７】
2011223591.tif 000024
【図８】
2011223591.tif 000025
【図９】
2011223591.tif 000026
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
チャネルを通じて送信されたシンボルシーケンスを具備する信号を処理するように構成されたデバイスであって、
前記信号を受信する入力を有する第１のフィルタリング回路と、
減算器と、判定装置と、第２のフィルタと、を具備するフィードバックループと、を具備し、
前記減算器は、前記第２のフィルタによって生成された判定フィードバック信号を前記第１のフィルタの出力から減じるために接続され、前記判定装置は、前記減算器の出力に接続された入力と、前記第２のフィルタの入力に接続された出力と、を有し、前記第２のフィルタは、判定信頼性評価基準を具備するスカラー値によって重みが付けられた係数を有し、前記スカラー値は０から１の範囲の値であり、前記スカラー値を変更することは、前記判定フィードバック信号が等化のために依存する度合いを調整することであり、前記シンボルシーケンスは、前記シンボルシーケンスにおける連続するデータ信号ブロック間に配置された既知のシンボルシーケンスを備え、前記第１のフィルタリング回路は、前記既知のシンボルシーケンスを少なくとも部分的に用いて選択された第１のフィルタ係数を使用する、デバイス。
【請求項２】
前記スカラー値に関する値を生成する回路をさらに具備する請求項１に記載のデバイス。
【請求項３】
前記スカラー値は、少なくとも部分的に前記既知のシンボルシーケンスの判定結果の精度に基づいて生成される請求項２に記載のデバイス。
【請求項４】
前記回路は、前記判定装置の前記出力において生成された以前のシンボルシーケンス及び前記復号器からの再生成されたシンボルシーケンスを比較するように構成される請求項２に記載のデバイス。
【請求項５】
チャネルを通じて送信されたシンボルシーケンスを具備する信号を処理するように構成されたデバイスであって、
前記信号を受信する入力を有する第１のフィルタと、
前記第１のフィルタの前記出力に結合された入力を有する遅延装置と、
前記遅延装置の出力に結合された入力を有する第２のフィルタと、
前記第１のフィルタの前記出力及び前記第２のフィルタの前記出力を合計するために接続された加算器と、
減算器、判定装置、及び前記第２のフィルタのフィルタ係数と実質的に同じフィルタ係数を有する第３のフィルタを具備する判定フィードバックループと、を具備し、
前記減算器は、前記第３のフィルタの出力を前記加算器の出力から減じるために接続され、前記判定装置は、前記減算器の出力に接続された入力と、前記第３のフィルタの入力に接続された出力と、を有し、
前記フィルタ係数を変更することは、前記判定フィードバック信号の出力が等化のために依存する度合いを調整することであり、前記シンボルシーケンスは、既知のシンボルシーケンスを具備し、前記デバイスは、前記送信されたシンボルシーケンスにおける連続するデータ信号ブロック間に配置された既知のシンボルシーケンスを少なくとも部分的に用いて選択されたフィルタ係数を使用し、
さらに、前記第２及び第３のフィルタの出力は０から１の範囲のスカラー値に基づいて重み付けされる、デバイス。
【請求項６】
前記スカラー値は、予め定義されたマッピング関係を通じて互いに関連づけられている請求項５に記載のデバイス。
【請求項７】
前記各スカラー値は、前記判定フィードバック入力信号の信頼性係数を表す請求項５に記載のデバイス。
【請求項８】
前記各スカラー値は、前記判定フィードバック入力信号の信頼性係数を表す請求項６に記載のデバイス。
【請求項９】
前記第１のフィルタは、線形等化器を具備する請求項５に記載のデバイス。
【請求項１０】
前記第１のフィルタは、線形ＭＭＳＥ等化器を具備する請求項５に記載のデバイス。
【請求項１１】
前記第１のフィルタは、線形ＺＦ等化器を具備する請求項５に記載のデバイス。
【請求項１２】
前記信頼性係数に関する値を生成する回路をさらに具備する請求項８に記載のデバイス。
【請求項１３】
前記シンボルシーケンスは、少なくとも１つの既知のシンボルシーケンスを具備し、前記信頼性係数の前記値は、前記既知のシンボルシーケンスに少なくとも部分的に基づいて生成される請求項１２に記載のデバイス。
【請求項１４】
前記回路は、前記判定装置の前記出力における以前のシンボルシーケンスと復号器からの再生成されたシンボルシーケンスとを比較することによって前記信頼性係数の値を生成する請求項１２に記載のデバイス。
【請求項１５】
前記送信されたシンボルシーケンスは、第２の既知のシンボルシーケンスを具備し、前記第２及び第３のフィルタの前記フィルタ係数は、前記第１のフィルタの前記出力シンボルシーケンスと前記第２の既知のシンボルシーケンスとの間の違いを用いて設定される請求項５に記載のデバイス。
【請求項１６】
受信された信号を処理する方法であって、線形等化と判定帰還型等化の間におけるソフト切り換えを具備し、線形等化と判定帰還型等化の間におけるソフト切り換えは、判定帰還がフィルタの出力に影響する度合いを調整することを具備し、
前記線形等化と判定帰還型等化の間におけるソフト切り換えは、前記受信された信号における連続するデータ信号ブロック間に配置された既知のシンボルシーケンスを用い、前記ソフト切り換えは、判定フィードバック信号が等化のためにどの程度用いられるかを制御するために０から１の範囲の値をもつ信頼性係数を変更することを具備する方法。
【請求項１７】
前記ソフト切り換えは、
前記信頼性係数を０に設定することによって線形等化のみを行うことと、
前記等化されたシンボルの推定が一組の予め決められたシンボルのうちの１つであるように前記推定を構築することと、
前記信頼性係数を増加させることと、
以前の構築からの前記シンボル推定を用いて前記判定帰還型等化を行うことと、
構築するステップ、増加させるステップ及び判定帰還型等化を行うステップを、前記係数が少なくとも予め決められた最大値になるまで繰り返すこと、とを具備し、
前記信頼性係数が０に設定された場合はフィードバックが用いられず、１に設定された場合は全フィードバックが用いられる請求項１６に記載の方法。
【請求項１８】
前記ソフト切り換えは、
信頼性係数を０に設定することによって線形等化のみを行うことと、
前記等化されたシンボルの推定が一組の予め決められたシンボルのうちの１つであるように前記推定を構築することと、
前記信頼性係数を更新することと、
以前の構築からの前記シンボル推定を用いて前記判定帰還型等化を行うことと、
構築するステップ、更新するステップ及び判定帰還型等化を行うステップを、前記係数の増分が予め決められたしきい値よりも小さくなるまで又は最大繰り返し回数に達するまで繰り返すこと、とを具備し、
前記信頼性係数が０に設定された場合はフィードバックが用いられず、１に設定された場合は全フィードバックが用いられる請求項１６に記載の方法。
【請求項１９】
復号を行うことをさらに具備し、前記更新することは、以前のシンボル推定及び復号からの再生成されたシンボルシーケンスを比較することを具備する請求項１８に記載の方法。
【請求項２０】
前記受信された信号は、少なくとも既知のシンボルシーケンスを具備する、チャネルを通じて送信されたシンボルシーケンスであり、前記更新することは、前記既知のシンボルシーケンスに少なくとも部分的に基く請求項１８に記載の方法。
【請求項２１】
前記ソフト切り換えは、
信頼性係数を０に設定することによって線形等化のみを行うことと、
前記等化されたシンボルの推定が一組の予め決められたシンボルのうちの１つであるように前記推定を構築することと、
以前の構築からの前記シンボル推定を用いて前記判定帰還型等化を行うことと、
復号及びＣＲＣ検査を行うことと、
ＣＲＣ検査に合格した場合は前記信頼性係数を更新することと、
送信されたシンボルシーケンスを処理するために、構築するステップ、判定帰還型等化を行うステップ、復号及びＣＲＣ検査を行うステップ、及び更新するステップを繰り返すこと、とを具備し、前記信頼性係数が０に設定された場合はフィードバックが適用されず、１に設定された場合は全フィードバックが適用される請求項１６に記載の方法。
【請求項２２】
前記更新することは、以前のシンボル推定及び復号からの再生成されたシンボルシーケンスを比較することを具備する請求項２１に記載の方法。
【請求項２３】
受信された信号を処理する方法であって、
信号を受信することと、
第１のフィルタで前記信号をフィルタリングすることと、
第２のフィルタで前記第１のフィルタの出力をフィルタリングすることと、
前記第１のフィルタの前記出力を前記第２のフィルタの出力に加えることと、
前記加えるステップの結果から判定フィードバック信号を減じて判定のための信号を提供することと、
前記減じるステップの結果得られるシンボルの推定が一組の予め決められたシンボルのうちの１つであるように前記推定を構築することと、
前記第２のフィルタと実質的に同じフィルタ係数を有する第３のフィルタを用いて前記シンボル推定のシーケンスをフィルタリングして前記判定フィードバック信号を提供すること、とを具備し、
前記フィルタ係数を変更することは、前記判定フィードバック信号の出力が等化のために依存する度合いを調整することであり、判定のための前記信号は、前記信号における連続するデータ信号ブロック間に配置された既知のシンボルシーケンスを少なくとも部分的に用いて選択されたフィルタ係数を使用して提供され、
さらに、前記第２及び第３のフィルタの出力は、０から１の範囲のスカラー値に基づいて重み付けされる、方法。
【請求項２４】
信号を処理するためのデバイスであって、前記デバイスは、
前記信号を受信するための手段と、
線形等化と判定帰還型等化の間においてソフト切り換えるための手段と、を具備し、
線形等化と判定帰還型等化の間においてソフト切り換えるための手段は、判定フィードバックがフィルタの出力に影響する度合いを調整するための手段を具備し、線形等化と判定帰還型等化の間においてソフト切換するための手段は、前記信号における連続するデータ信号ブロック間に配置された既知のシンボルシーケンスを備え、判定フィードバック信号が等化のためにどの程度用いられるかを制御するために０からの１の範囲の値を有する信頼性係数を変更するための手段を具備する、デバイス。
【請求項２５】
ソフト切り換えるための前記手段は、
前記信頼性係数を０に設定することによって線形等化のみを行うための手段と、
前記等化されたシンボルの推定が一組の予め決められたシンボルのうちの１つであるように前記推定を構築するための手段と、
前記信頼性係数を増加させるための手段と、
以前の構築からの前記シンボル推定を用いて前記判定帰還型等化を行うための手段と、を具備し、
前記信頼性係数が０に設定された場合はフィードバックが用いられず、１に設定された場合は全フィードバックが用いられる請求項２４に記載のデバイス。
【請求項２６】
ソフト切り換えるための前記手段は、
信頼性係数を０に設定することによって線形等化のみを行うための手段と、
前記等化されたシンボルの推定が一組の予め決められたシンボルのうちの１つであるように前記推定を構築するための手段と、
前記信頼性係数を更新するための手段と、
以前の構築からの前記シンボル推定を用いて前記判定帰還型等化を行うための手段と、を具備し、
前記信頼性係数が０に設定された場合はフィードバックが用いられず、１に設定された場合は全フィードバックが用いられる請求項２４に記載のデバイス。
【請求項２７】
復号するための手段をさらに具備し、更新するための前記手段は、以前のシンボル推定と復号からの再生成されたシンボルシーケンスとを比較するための手段を具備する請求項２６に記載のデバイス。
【請求項２８】
前記受信された信号は、少なくとも前記既知のシンボルシーケンスを具備する、チャネルを通じて送信されたシンボルシーケンスであり、前記更新することは、前記既知のシンボルシーケンスに少なくとも部分的に基づく請求項２６に記載のデバイス。
【請求項２９】
ソフト切り換えるための前記手段は、
前記信頼性係数を０に設定することによって線形等化のみを行うための手段と、
前記等化されたシンボルの推定が一組の予め決められたシンボルのうちの１つであるように前記推定を構築するための手段と、
以前の構築からのシンボル推定を用いて前記判定帰還型等化を行うための手段と、
復号及びＣＲＣ検査を行うための手段と、
ＣＲＣ検査に合格した場合は前記信頼性係数を更新するための手段と、を具備し、
前記信頼性係数が０に設定された場合はフィードバックが適用されず、１に設定された場合は全フィードバックが適用される請求項２４に記載のデバイス。
【請求項３０】
更新するための前記手段は、以前のシンボル推定と復号からの再生成されたシンボルシーケンスとを比較するための手段を具備する請求項２９に記載のデバイス。
【請求項３１】
信号を処理するように構成されたデバイスであって、
第１のフィルタで前記信号をフィルタリングするための手段と、
第２のフィルタで前記第１のフィルタの出力をフィルタリングするための手段と、
前記第１のフィルタの前記出力を前記第２のフィルタの出力に加えるための手段と、
前記加えた結果から判定フィードバック信号を減じて構築のための信号を提供するための手段と、
前記減じた結果の推定が一組の予め決められたシンボルのうちの１つであるように前記推定を構築するための手段と、
前記第２のフィルタのフィルタ係数に関連するフィルタ係数をもつ第３のフィルタで、前記判定フィードバック信号を提供するために前記シンボル推定のシーケンスをフィルタリングするための手段と、を具備し、
前記フィルタ係数を変更することは、前記判定フィードバック信号が等化のために依存する度合いを調整することであり、前記構築するための手段は、前記信号におけるデータ信号ブロック間に配置された既知のシンボルシーケンスを少なくとも部分的に用いて選択されたフィルタ係数を使用して提供され、
さらに前記第２及び第３のフィルタの出力は、０から１の範囲のスカラー値に基づいて重み付けされる、デバイス。
【請求項３２】
命令が記録されたコンピュータ読み取り可能な記憶媒体であって、前記命令は、実行されたときに、装置に、受信された信号を処理する方法を実行させ、前記方法は
線形等化と判定帰還型等化の間におけるソフト切り換えを具備し、線形等化と判定帰還型等化の間におけるソフト切り換えは、判定帰還がフィルタの出力に影響する度合いを調整することを具備し、
前記線形等化と判定帰還型等化の間におけるソフト切り換えは、前記受信された信号における連続するデータ信号ブロック間に配置された既知のシンボルシーケンスを用い、前記ソフト切り換えは、判定フィードバック信号が等化のためにどの程度用いられるかを制御するために０から１の範囲の値をもつ信頼性係数を変更する方法。
【請求項３３】
命令が記録されたコンピュータ読み取り可能な記憶媒体であって、前記命令は、実行されたときに、装置に、受信された信号を処理する方法を実行させ、前記方法は
信号を受信することと、
第１のフィルタで前記信号をフィルタリングすることと、
第２のフィルタで前記第１のフィルタの出力をフィルタリングすることと、
前記第１のフィルタの前記出力を前記第２のフィルタの出力に加えることと、
前記加えるステップの結果から判定フィードバック信号を減じて判定のための信号を提供することと、
前記減じるステップの結果得られるシンボルの推定が一組の予め決められたシンボルのうちの１つであるように前記推定を構築することと、
前記第２のフィルタと実質的に同じフィルタ係数を有する第３のフィルタを用いて前記シンボル推定のシーケンスをフィルタリングして前記判定フィードバック信号を提供すること、とを具備し、
前記フィルタ係数を変更することは、前記判定フィードバック信号の出力が等化のために依存する度合いを調整することであり、
前記第１のフィルタの出力を第２のフィルタでフィルタリングすることと、前記第１のフィルタの出力を前記第２のフィルタの出力に加えることは前記信号における連続するデータ信号ブロック間に配置された既知のシンボルシーケンスを少なくとも部分的に用いて選択されたフィルタ係数を使用するものであり、
さらに、前記第２のフィルタの出力は、０から１の範囲のスカラー値に基づいて重み付けされる、方法。
【外国語明細書】
2011223591000001.pdf